(57)【要約】【課題】暖房感（快適性）を向上し、ドレン水の溜まりを減らすとともにスライムの発生を防止することが可能な空気調和機を提供する。【解決手段】送風機２と、熱交換器３と、熱交換器３の下方に配されドレン水を受けるドレン水受け皿５と、熱交換器３で熱交換された空気を吹き出す前面側吹出口１ｂと、前面側吹出口１ｂから吹き出される空気の向きを調整する可動パネル９とを備え、暖房運転時に、前面吹出口１ｂを可動パネル９で閉じると共に、ドレン水受け皿５の熱交換器３の風下側の可動側ドレン水受け皿５ａを前面吹出口１ｂ側から熱交換器３側に移動させることによって下向きに形成される第２の吹出口１３より、熱交換器３で熱交換された空気を吹き出すもので、熱交換器３で暖められ空気は、下向きに開口した第２の吹出口１３より吹き出され、天井付近に滞留しないため、暖房感（快適性）を向上させることができる。【選択図】図２
2009204171.tif 000002
【特許請求の範囲】
【請求項１】
送風機と、熱交換器と、前記熱交換器の下方に配されドレン水を受けるドレン水受け皿と、前記熱交換器で熱交換された空気を吹き出す吹出口と、前記吹出口から吹き出される空気の向きを調整する可動パネルとを備え、暖房運転時に、前記吹出口を前記可動パネルで閉じると共に、前記ドレン水受け皿の前記熱交換器の風下側の略半分を前記吹出口側から前記熱交換器側に移動させることによって下向きに形成される第２の吹出口より、前記熱交換器で熱交換された空気を吹き出すようにしたことを特徴とする空気調和機。
【請求項２】
伸縮自在の伸縮アームを介してドレン水受け皿の略半分を移動させるアーム駆動装置を設けたことを特徴とする請求項１に記載の空気調和機。
【請求項３】
アーム駆動装置を、送風機とドレン水受け皿の間に配置したことを特徴とする請求項２に記載の空気調和機。
【請求項４】
ドレン水受け皿の略半分の移動範囲を規制するためのドレン水受け皿停止装置を設けたことを特徴とする請求項１〜３のいずれか１項に記載の空気調和機。
【請求項５】
冷房および除湿運転開始後、ある時間間隔毎にドレン水受け皿の略半分を１往復させることを特徴とする請求項１〜４のいずれか１項に記載の空気調和機。
【請求項６】
冷房および除湿運転停止後、ドレン水受け皿の略半分を１往復させることを特徴とする請求項１〜５のいずれか１項に記載の空気調和機。
【発明の詳細な説明】
【技術分野】
【０００１】
本発明は、空気調和機に関するものである。
【背景技術】
【０００２】
従来の空気調和機の一例について、図５、６を用いて説明する。図５は、従来の空気調和機の概略図、図６は、図５のＡ−Ａ断面図である。
【０００３】
従来の空気調和機の本体１内には、中央のモータ２ｂにより回転駆動されるファン２ａからなる送風機２や熱交換器３等が収容され取付けられている。空気は、背面側吸込口１ａから吸い込まれ、送風機２、熱交換器３を通過して、前面側吹出口１ｂの方向へ吹き出される。熱交換器３には、冷媒配管４が取付けられるとともに、冷房時の熱交換により生じるドレン水を排出するために、ドレン穴６ａが熱交換器３の風下側のドレン水受け皿５に２箇所設けられ、１箇所はドレン栓６ｂが、もう１箇所はドレンホース７が取付けられている。また、熱交換器３は、固定板３ａおよび３ｂに取付けられ、風もれを防ぐためにシール材８が取付けられている。
【０００４】
このため、ドレン水をできるだけ溜めずに排水する目的で、ドレン穴６ａはできるだけ熱交換器３に近い位置に取り付けられている（例えば、特許文献１参照）。
【特許文献１】特開２００５−１７２３４３号公報
【発明の開示】
【発明が解決しようとする課題】
【０００５】
しかしながら、上記特許文献１に記載されたような従来の空気調和機の構成では、前面側吹出口１ｂに風向変更羽根等がないため、暖房運転時の暖められた吹出空気が天井付近にたまり、例えば、床に座っている人に暖められた吹出空気が届かず、寒く感じるため、暖房感がない（快適性が悪い）という課題を有していた。また、熱交換器３の風下側のドレン水受け皿５に溜まるドレン水が長期間溜まることにより、スライムが発生するという課題を有していた。
【０００６】
本発明は、前記従来の課題を解決するもので、暖房感（快適性）を向上し、ドレン水の溜まりを減らすとともにスライムの発生を防止することが可能な空気調和機を提供することを目的とする。
【課題を解決するための手段】
【０００７】
前記従来の課題を解決するために、本発明の空気調和機は、送風機と、熱交換器と、前記熱交換器の下方に配されドレン水を受けるドレン水受け皿と、前記熱交換器で熱交換された空気を吹き出す吹出口と、前記吹出口から吹き出される空気の向きを調整する可動パネルとを備え、暖房運転時に、前記吹出口を前記可動パネルで閉じると共に、前記ドレン水受け皿の前記熱交換器の風下側の略半分を前記吹出口側から前記熱交換器側に移動させることによって下向きに形成される第２の吹出口より、前記熱交換器で熱交換された空気を吹き出すようにしたもので、暖房運転時には、熱交換器で暖められ空気は、下向きに開口した第２の吹出口より吹き出され、天井付近に滞留しないため、暖房感（快適性）を向上させることができる。
【発明の効果】
【０００８】
本発明の空気調和機は、暖房感（快適性）を向上し、熱交換器の風下側のドレン水受け皿に溜まるドレン水を排出し、スライムの発生を防止することができる。また、熱交換器
の風下側のドレン水受け皿外郭に貼り付けられる断熱材を廃止することができる。
【発明を実施するための最良の形態】
【０００９】
第１の発明は、送風機と、熱交換器と、前記熱交換器の下方に配されドレン水を受けるドレン水受け皿と、前記熱交換器で熱交換された空気を吹き出す吹出口と、前記吹出口から吹き出される空気の向きを調整する可動パネルとを備え、暖房運転時に、前記吹出口を前記可動パネルで閉じると共に、前記ドレン水受け皿の前記熱交換器の風下側の略半分を前記吹出口側から前記熱交換器側に移動させることによって下向きに形成される第２の吹出口より、前記熱交換器で熱交換された空気を吹き出すようにしたもので、暖房運転時には、熱交換器で暖められ空気は、下向きに開口した第２の吹出口より吹き出され、天井付近に滞留しないため、暖房感（快適性）を向上させることができる。
【００１０】
第２の発明は、特に、第１の発明の空気調和機において、伸縮自在の伸縮アームを介してドレン水受け皿の略半分を移動させるアーム駆動装置を設けたもので、簡単な機構でドレン水受け皿の略半分を動かすことができ、しかも、伸縮アームをコンパクトに収納することができる。
【００１１】
第３の発明は、特に、第２の発明のアーム駆動装置を、送風機とドレン水受け皿の間に配置したもので、熱交換器を通過する空気の通風抵抗を増大させることなく、アーム駆動装置をコンパクトに配置することができる。
【００１２】
第４の発明は、特に、第１〜３のいずれか一つの発明のドレン水受け皿の略半分の移動範囲を規制するためのドレン水受け皿停止装置を設けたもので、ドレン水受け皿の略半分の移動範囲を規制し、ドレン水受け皿の略半分の停止を確実に制御することができる。
【００１３】
第５の発明は、特に、第１〜４のいずれか一つの発明の空気調和機において、冷房および除湿運転開始後、ある時間間隔毎にドレン水受け皿の略半分を１往復させるもので、熱交換器の風下側のドレン水受け皿に溜まるドレン水を定期的に排出することができる。また、熱交換器の風下側のドレン水受け皿に溜まるドレン水は常時溜まらないため、熱交換器の風下側のドレン水受け皿外郭に貼り付けられる断熱材を廃止することができる。
【００１４】
第６の発明は、特に、第１〜５のいずれか一つの発明の空気調和機において、冷房および除湿運転停止後、ドレン水受け皿の略半分を１往復させるもので、熱交換器の風下側のドレン水受け皿に溜まるドレン水を排出することができ、ドレン水が長期間溜まらないため、スライムの発生を防止することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和機の概略図、図２は、図１のＢ−Ｂ断面図（暖房運転時）、図３は、図１のＢ−Ｂ断面図（冷房・除湿・送風運転時）、図４は、図１のＢ−Ｂ断面図（停止時）である。尚、上記従来の空気調和機と同一部分は、同一符号を付してその説明を省略する。
【００１７】
図１〜図４において、本実施の形態における空気調和機の前面側吹出口１ｂの風下側には、可動パネル９が回動自在に設けられ、この可動パネル９回動させることにより、冷房・除湿・送風時に、前面側吹出口１ｂから吹き出される風の風向を調整することができるようになっている。
【００１８】
また、本実施の形態における空気調和機のドレン水受け皿５は、熱交換器３の風下側の略半分を構成する可動側ドレン水受け皿５ａと固定側ドレン水受け皿５ｂに分割されており、可動側ドレン水受け皿５ａが伸縮自在の伸縮アーム１０に取り付けられ、伸縮アーム１０を動かすアーム駆動装置１１を駆動することにより、簡単な機構で、可動側ドレン水受け皿５ａを左右方向に動かすことができ、伸縮アーム１０をコンパクトに収納することができる。
【００１９】
ここで、アーム駆動装置１１を、送風機２とドレン水受け皿５ｂの間に配置するよう構成することより、熱交換器３を通過する空気の通風抵抗を増大させることなく、アーム駆動装置１１をコンパクトに配置することができる。
【００２０】
ここで、吹出口１ｂと熱交換器３の間に、可動側ドレン水受け皿５ａの左右方向の移動範囲を規制するためのドレン水受け皿停止装置としてリミットスイッチ１２を設けている。ここで、暖房運転時は、図２に示すように、吹出口１ｂは、可動パネル９で閉じられ、圧縮機（図示せず）起動および送風機２運転前に可動側ドレン水受け皿５ａが、熱交換器３側へ移動し、熱交換器３側のリミットスイッチ１２に当たり、停止することにより、下向きの第２の吹出口１３が形成される。その後、圧縮機が起動および送風機２が運転される。
【００２１】
以上のように、暖房運転時には、吹出口１ｂは可動パネル９で閉じられているので、熱交換器３で熱交換され暖められた空気は、第２の吹出口１３から吹き出すことになり、これによって暖められた吹出空気は天井付近に滞留せず、例えば、床に座っている人に暖められた吹出空気を届かすことができ、足元暖房感（快適性）を向上させることができる。
【００２２】
又、冷房・除湿・送風運転時は、図３に示すように、可動パネル９が全開すると共に、アーム駆動装置１１が駆動し、可動側ドレン水受け皿５ａが吹出口１ｂ側に移動し、可動側ドレン水受け皿５ａが吹出口１ｂ側のリミットスイッチ１２に当たって停止し、第２の吹出口１３は閉じられる。そして、圧縮機及び送風機２が運転開始すると、熱交換器３を通過した空気が、吹出口１ｂより吹き出される。吹出口１ｂから吹き出た空気は、天井面に沿って流れ、壁伝いに降りてきて室内の空気を循環する。
【００２３】
したがって、床に座っている人に、冷たい空気が直接あたることが無く、不愉快な思いをすることが無い。
【００２４】
また、冷房・除湿運転後に暖房運転に切り替えた時は、可動側ドレン水受け皿５ａが熱交換器３側へ移動することにより、熱交換器３の風下側の可動側ドレン水受け皿５ａに溜まるドレン水を排出することができる。
【００２５】
空気調和機１のある運転条件およびある停止条件のもとで、アーム駆動装置１１が運転開始し、可動側ドレン水受け皿５ａが熱交換器３側へ移動し、熱交換器３の風下側のドレン水受け皿５ａに溜まるドレン水を熱交換器３側に移動させ、可動側ドレン水受け皿５ａは熱交換器３側のリミットスイッチ１２に当たり、停止する。その後、可動側ドレン水受け皿５ａは、吹出口１ｂ側に移動し、吹出口１ｂ側のリミットスイッチ１２に当たって停止し、初期の位置に戻る。以上の動作により、熱交換器３の風下側のドレン水受け皿５ａに溜まるドレン水を排出することができる。
【００２６】
ここで、冷房および除湿運転開始後、ある時間間隔毎に、可動側ドレン水受け皿５ａが１往復することにより、熱交換器３の風下側のドレン水受け皿５aに溜まるドレン水（図３の斜線部）を定期的に排出することができ、熱交換器３の風下側のドレン水受け皿５ａに溜まるドレン水が常時溜まらないため、熱交換器３の風下側のドレン水受け皿５ａの外
郭に貼り付けられる断熱材を廃止することができる。
【００２７】
また、冷房および除湿運転停止後、可動側ドレン水受け皿５ａが１往復することにより、熱交換器３の風下側のドレン水受け皿５ａに溜まるドレン水（図３の斜線部）を排出することができ、ドレン水が長期間溜まらないため、スライムの発生を防止することができる。
【産業上の利用可能性】
【００２８】
以上のように、本発明にかかる空気調和機は、暖房感（快適性）を向上し、熱交換器の風下側のドレン水受け皿に溜まるドレン水を排出し、スライムの発生を防止することができ、また、熱交換器の風下側のドレン水受け皿外郭に貼り付けられる断熱材を廃止することができるので、埋込み形の室内ユニット装置（例えばダクト形エアコン）等の用途にも適用できる。
【図面の簡単な説明】
【００２９】
【図１】本発明の実施の形態１における空気調和機の概略図
【図２】図１のＢ−Ｂ断面図（暖房運転時）
【図３】図１のＢ−Ｂ断面図（冷房・除湿・送風運転時）
【図４】図１のＢ−Ｂ断面図（停止時）
【図５】従来の空気調和機の概略図
【図６】図５のＡ−Ａ断面図
【符号の説明】
【００３０】
１  空気調和機（室内機本体）
１ａ  背面側吸込口
１ｂ  前面側吹出口（吹出口）
２  送風機
２ａ  ファン
２ｂ  モータ
３  熱交換器
３ａ、３ｂ  固定板
４  冷媒配管
５  ドレン水受け皿
５ａ  可動側ドレン水受け皿（ドレン水受け皿の略半分）
５ｂ  固定側ドレン水受け皿
６ａ  ドレン穴
６ｂ  ドレン栓
７  ドレンホース
８  シール材
９  可動パネル
１０  伸縮アーム
１１  アーム駆動装置
１２  リミットスイッチ（ドレン水受け皿停止装置）
１３  第２の吹出口
【図１】
2009204171.tif 000003
【図２】
2009204171.tif 000004
【図３】
2009204171.tif 000005
【図４】
2009204171.tif 000006
【図５】
2009204171.tif 000007
【図６】
2009204171.tif 000008